(57)【特許請求の範囲】
【請求項１】
ユーザーの生体情報と、前記ユーザーが摂取した飲食物の情報を取得する第１取得手段と、
前記第１取得手段が取得した生体情報に対する複数の条件を、前記第１取得手段が取得した飲食物の情報に基づいて定める設定手段と、
生体情報に対して前記設定手段で定められた複数の条件を記憶する第１記憶手段と、
前記条件毎に設定された連絡先を記憶する第２記憶手段と、
前記第１取得手段が取得した生体情報が前記第１記憶手段に記憶された前記条件のいずれかに対応する場合、当該対応する条件に対して設定された連絡先を前記第２記憶手段から取得する第２取得手段と、
前記第２取得手段が取得した連絡先へ、前記第１取得手段が取得した生体情報に応じた通知を行う通知手段と
を備える情報処理装置。
【請求項２】
前記第２記憶手段が記憶する連絡先は、前記条件毎に異なる請求項１に記載の情報処理装置。
【請求項３】
ユーザーにより操作される操作手段と、
前記操作手段で行われた操作に応じて前記条件を変更する変更手段と
を備える請求項１または請求項２に記載の情報処理装置。
【請求項４】
前記第１取得手段が取得した生体情報又は外部から入力された情報に応じて前記条件を変更する
請求項１から請求項３のいずれか一項に記載の情報処理装置。
【請求項５】
ユーザーの生体情報と、前記ユーザーが摂取した飲食物の情報を取得する第１取得ステップと、
前記第１取得ステップで取得した生体情報に対する複数の条件を、前記第１取得ステップで取得した飲食物の情報に基づいて定める設定ステップと、
前記第１取得ステップで取得した生体情報が、生体情報に対して前記設定ステップで定められた複数の条件を記憶する第１記憶手段に記憶された前記条件のいずれかに対応する場合、当該対応する条件に対して設定された連絡先を、前記条件毎に設定された連絡先を記憶する第２記憶手段から取得する第２取得ステップと、
前記第２取得ステップで取得した連絡先へ、前記第１取得ステップで取得した前記生体情報に応じた通知を行う通知ステップと
を備える通知方法。
【請求項６】
コンピュータに、
ユーザーの生体情報と、前記ユーザーが摂取した飲食物の情報を取得する第１取得ステップと、
前記第１取得ステップで取得した生体情報に対する複数の条件を、前記第１取得ステップで取得した飲食物の情報に基づいて定める設定ステップと、
前記第１取得ステップで取得した生体情報が、生体情報に対して前記設定ステップで定められた複数の条件を記憶する第１記憶手段に記憶された前記条件のいずれかに対応する場合、当該対応する条件に対して設定された連絡先を、前記条件毎に設定された連絡先を記憶する第２記憶手段から取得する第２取得ステップと、
前記第２取得ステップで取得した連絡先へ、前記第１取得ステップで取得した前記生体情報に応じた通知を行う通知ステップと
を実行させるためのプログラム。
【発明の詳細な説明】
【技術分野】
【０００１】
本発明は、生体情報に応じた通知を行う技術に関する。
【背景技術】
【０００２】
飲酒による事故やトラブルを防止するための発明として、例えば特許文献１に開示された携帯電話機がある。この携帯電話機は、呼気からアルコール成分を検出するセンサーを備えており、ユーザーが通話を開始すると、呼気のアルコール成分の検知を開始する。携帯電話機は、検知したアルコール成分がしきい値を超えると、登録されている電話番号やメールアドレスを連絡先とし、アルコール濃度や危険度、警告などを知らせる。
【先行技術文献】
【特許文献】
【０００３】
【特許文献１】特開２００１−３１３６９６号公報
【発明の概要】
【発明が解決しようとする課題】
【０００４】
特許文献１の発明によれば、例えば、携帯電話機の使用者が過度に飲酒をした場合、連絡先として家族が登録されていれば、携帯電話機の使用者の家族へアルコール濃度や危険度を知らせることができる。しかしながら、例えば、泥酔状態を表す連絡が家族へ送られても、家族がすぐに使用者の下へ行くことができない場合には、救護が遅れる虞がある。
【０００５】
本発明は、上述した背景の下になされたものであり、ユーザーの体調に応じて、適切な者がユーザーの体調を把握できるようにする技術を提供することを目的とする。
【課題を解決するための手段】
【０００６】
本発明は、ユーザーの生体情報と、前記ユーザーが摂取した飲食物の情報を取得する第１取得手段と、前記第１取得手段が取得した生体情報に対する複数の条件を、前記第１取得手段が取得した飲食物の情報に基づいて定める設定手段と、生体情報に対して前記設定手段で定められた複数の条件を記憶する第１記憶手段と、前記条件毎に設定された連絡先を記憶する第２記憶手段と、前記第１取得手段が取得した生体情報が前記第１記憶手段に記憶された前記条件のいずれかに対応する場合、当該対応する条件に対して設定された連絡先を前記第２記憶手段から取得する第２取得手段と、前記第２取得手段が取得した連絡先へ、前記第１取得手段が取得した生体情報に応じた通知を行う通知手段とを備える情報処理装置を提供する。
【０００８】
また、本発明においては、前記第２記憶手段が記憶する連絡先は、前記条件毎に異なる構成としてもよい。
【０００９】
また、本発明においては、ユーザーにより操作される操作手段と、前記操作手段で行われた操作に応じて前記条件を変更する変更手段とを備える構成としてもよい。
【００１０】
また、本発明においては、前記第１取得手段が取得した生体情報又は外部から入力された情報に応じて前記条件を変更する構成としてもよい。
【００１１】
また、本発明は、ユーザーの生体情報と、前記ユーザーが摂取した飲食物の情報を取得する第１取得ステップと、前記第１取得ステップで取得した生体情報に対する複数の条件を、前記第１取得ステップで取得した飲食物の情報に基づいて定める設定ステップと、前記第１取得ステップで取得した生体情報が、生体情報に対して前記設定ステップで定められた複数の条件を記憶する第１記憶手段に記憶された前記条件のいずれかに対応する場合、当該対応する条件に対して設定された連絡先を、前記条件毎に設定された連絡先を記憶する第２記憶手段から取得する第２取得ステップと、前記第２取得ステップで取得した連絡先へ、前記第１取得ステップで取得した前記生体情報に応じた通知を行う通知ステップとを備える通知方法通知方法を提供する。
【００１２】
また、本発明は、コンピュータに、ユーザーの生体情報と、前記ユーザーが摂取した飲食物の情報を取得する第１取得ステップと、前記第１取得ステップで取得した生体情報に対する複数の条件を、前記第１取得ステップで取得した飲食物の情報に基づいて定める設定ステップと、前記第１取得ステップで取得した生体情報が、生体情報に対して前記設定ステップで定められた複数の条件を記憶する第１記憶手段に記憶された前記条件のいずれかに対応する場合、当該対応する条件に対して設定された連絡先を、前記条件毎に設定された連絡先を記憶する第２記憶手段から取得する第２取得ステップと、前記第２取得ステップで取得した連絡先へ、前記第１取得ステップで取得した前記生体情報に応じた通知を行う通知ステップとを実行させるためのプログラムを提供する。
【発明の効果】
【００１３】
本発明によれば、ユーザーの体調に応じて、適切な者がユーザーの体調を把握することができる。
【図面の簡単な説明】
【００１４】
【図１】本発明の一実施形態に係る通知システム１に含まれる装置を示した図。
【図２】端末装置１０のハードウェア構成を示した図。
【図３】端末装置１０において実現する機能の構成を示した機能ブロック図。
【図４】端末装置１０が行う処理の流れを示したフローチャート。
【発明を実施するための形態】
【００１５】
［実施形態］
＜全体構成＞
図１は、本発明の一実施形態に係る通知システム１に含まれる装置を示した図である。通信網２は、インターネットや固定電話網、音声通信やデータ通信などの通信サービスを提供する移動体通信網などを含む。通信網２には、無線通信によって情報処理装置の一例である端末装置１０Ａ〜１０Ｃが接続される。本実施形態に係る端末装置１０Ａ〜１０Ｃは、スマートフォンである。なお、端末装置１０Ａ〜１０Ｃは、スマートフォンに限定されるものではなく、データ通信が可能なタブレット端末やフィーチャーフォン、身体に装着する活動量計、腕時計型の端末などのウェアラブルデバイス、データ通信に特化したコンピュータ装置、などであってもよい。端末装置１０Ａ〜１０Ｃは、ハードウェア構成は同じ構成であるため、以下、各々を区別する必要がない場合は、端末装置１０と称する。なお、通信網２に接続される端末装置は多数存在するが、図面が繁雑になるのを防ぐために、図１においては端末装置１０Ａ〜１０Ｃのみを示している。
【００１６】
（端末装置１０の構成）
図２は、端末装置１０のハードウェア構成の一例を示した図である。通信部１０５は、通信網２を介して無線通信を行う通信インターフェースとして機能する。音声処理部１０７は、マイクロホンとスピーカを有している。音声処理部１０７は、端末装置同士が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロホンが音声を収音すると、収音した音声をデジタル信号に変換する。音声処理部１０７は、端末装置で音声通話を行う場合、ユーザーの音声を変換したデジタル信号を通信部１０５へ供給する。このデジタル信号は、通信部１０５から通信網２へ送信され、通話相手の端末装置へ送信される。
【００１７】
タッチパネル１０３は、表示装置（例えば液晶ディスプレイ）と、表示装置の表示面において指の接触を検出するセンサーとを組み合わせた装置であり、ユーザーにより操作される操作部の一例である。タッチパネル１０３は、文字やＧＵＩ（Graphical User Interface）、端末装置１０を操作するためのメニュー画面などを表示装置で表示する。また、制御部１０１は、ユーザーが指で触れた位置をセンサーで検出する。制御部１０１は、タッチパネル１０３が検出した位置と、タッチパネルに表示されている画面に応じてユーザーの操作を特定し、特定した操作に応じて各部の制御や各種処理を実行する。
【００１８】
測定手段の一例であるセンサー１０９は、生体情報を検知するセンサーであり、本実施形態では、血中のエタノール濃度を検知する。血中のエタノール濃度を検知するセンサーとしては、例えば、特開２０１４−２３２０５１号公報に開示されている皮膚ガス測定装置や、特開２０１０−２８１６９８号公報に開示されている皮膚ガス検出装置を採用することができる。センサー１０９は、皮膚ガスに含まれるエタノールを検知し、血中のエタノール濃度を算出する。なお、本実施形態においては、センサー１０９は皮膚ガスを測定するが、皮膚ガスではなく、呼気を測定する構成であってもよい。センサー１０９は、測定結果を表すデータ（生体情報）を制御部１０１へ出力する。
【００１９】
第１記憶手段及び第２記憶手段の一例である記憶部１０２は、不揮発性メモリーを有しており、オペレーティングシステムのプログラムや複数のアプリケーションプログラムを記憶する。例えば、記憶部１０２は、ユーザーの生体情報を測定し、測定結果に対応した連絡先へ、ユーザーの体調に関する通知を行う機能を実現するアプリケーションプログラム（以下、計測アプリと称する）を記憶している。本実施形態においては、計測アプリは、ユーザーの血中のエタノール濃度を測定し、測定結果に対応した連絡先へ、ユーザーの酩酊の程度をユーザーの体調に関する情報として通知する機能を実現する。また、記憶部１０２は、計測アプリが通知を行う連絡先として、複数のメールアドレスを記憶する。また、制御部１０１が連絡先を取得する条件を記憶する。
【００２０】
制御部１０１は、ＣＰＵ（Central Processing Unit）やＲＡＭ（Random Access Memory）を有し、ＣＰＵが記憶部１０２に記憶されているオペレーティングシステムのプログラムを実行すると、スマートフォンのオペレーティングシステムが実現する。また、オペレーティングシステムが実現すると、計測アプリを実行することが可能となる。
【００２１】
なお、端末装置１０Ａ〜１０Ｃの構成は同じであるが、以下、端末装置１０Ａ〜１０Ｃの各部を区別する必要がある場合、説明の便宜上、端末装置１０Ａの各部の符号の末尾には「Ａ」を付し、端末装置１０Ｂの各部の符号の末尾には「Ｂ」を付し、端末装置１０Ｃの各部の符号の末尾には「Ｃ」を付して説明を行う。
【００２２】
（端末装置１０の機能構成）
図３は、端末装置１０において実現する機能のうち、本発明に係る機能の構成を示したブロック図である。第１取得部１００１は、センサー１０９から供給されるデータを取得する。第１取得部１００１は、センサー１０９から供給される生体情報を取得する手段の一例である。第２取得部１００２は、記憶部１０２に記憶されている条件に第１取得部１００１が取得したデータが対応している場合、記憶部１０２に記憶されているメールアドレスを取得する。通知部１００３は、第１取得部１００１が取得したデータに応じて、ユーザーの体調を表す電子メールを生成し、生成した電子メールを第２取得部１００２が取得したメールアドレスを宛先として送信する。
【００２３】
（実施形態の動作例）
次に、本実施形態の動作例について説明する。以下の説明においては、端末装置１０Ａの所有者はユーザーＡ、端末装置１０Ｂの所有者はユーザーＢ、端末装置１０Ｃの所有者はユーザーＣであって、ユーザーＢはユーザーＡの家族であり、ユーザーＣはユーザーＡの友人である場合を想定する。また、端末装置１０Ａにおいては、計測アプリが通知を行う連絡先として、予めユーザーＢのメールアドレスと、ユーザーＣのメールアドレスが記憶されている場合を想定して動作例の説明を行う。
【００２４】
例えば、端末装置１０ＡのユーザーＡは、酒類を提供する飲食店でユーザーＣと共に飲酒を行う前に、タッチパネル１０３Ａを操作し、計測アプリの実行を指示する操作を行う。制御部１０１Ａは、ユーザーＡが行った操作に応じて、計測アプリを実行する。制御部１０１Ａが計測アプリを実行すると、制御部１０１Ａは、センサー１０９Ａを制御し、血中のエタノール濃度の測定を開始し、図４に示した処理を実行する。
【００２５】
ユーザーＡが飲食店で飲酒を始めると、飲んだ酒類の量やアルコール度数に応じて、ユーザーＡの血中のエタノール濃度が上昇する。ユーザーＡの血中のエタノール濃度が上昇すると、ユーザーＡの皮膚から出る皮膚ガスに含まれるエタノールの濃度も上昇する。ここで、ユーザーＡが端末装置１０Ａを手に持つと、ユーザーＡの皮膚から出る皮膚ガスがセンサー１０９Ａに到達する。センサー１０９Ａは、皮膚ガスに含まれるエタノールの濃度を測定し、測定結果からユーザーＡの血中のエタノール濃度を算出する。センサー１０９Ａは、算出したエタノール濃度を表すデータを制御部１０１Ａへ供給し、制御部１０１Ａ（第１取得部１００１）は、センサー１０９Ａから供給されるデータを取得する（ステップＳＡ１）。
【００２６】
制御部１０１Ａ（第２取得部１００２）は、センサー１０９Ａから供給されるデータを取得すると、取得したデータが予め定められた条件を満たしているか判断する。具体的には、本実施形態においては、第１条件と第２条件が予め定められている。第１条件は、血中のエタノール濃度が０．５ｍｇ／ｍｌ以上〜１．０ｍｇ／ｍｌ未満という条件であり、第２条件は、血中のエタノール濃度が１．５ｍｇ／ｍｌ以上〜２．５ｍｇ／ｍｌ未満という条件である。第１条件と第２条件は、記憶部１０２に記憶されている。第１条件を満たした場合、ユーザーＡは、弱度酩酊の状態にあり、ほろ酔いで抑制がとれた状態にある。第２条件を満たした場合、ユーザーＡは、中程度酩酊の状態になり、言語不明瞭や判断力が低下した状態にある。
【００２７】
制御部１０１Ａ（通知部１００３）は、取得したデータが表す血中のエタノール濃度が、記憶部１０２に記憶されている第１条件の範囲内にある場合（ステップＳＡ２でＹＥＳ）、弱度酩酊の状態であることを通知する電子メール、つまり、第１条件に対応した内容の電子メールを生成する（ステップＳＡ７）。次に制御部１０１Ａ（第２取得部１００２）は、第１条件に対応付けて予め記憶されているユーザーＢのメールアドレスを記憶部１０２Ａから取得する（ステップＳＡ８）。制御部１０１Ａ（通知部１００３）は、ステップＳＡ７で生成した電子メールの宛先を、ステップＳＡ８で取得したユーザーＢのメールアドレスとし、ステップＳＡ７で生成した電子メールを送信する（ステップＳＡ６）。
【００２８】
端末装置１０Ａから送信された電子メールは、通信網２と図示せぬメールサーバーを介して、ユーザーＢが所持する端末装置１０Ｂへ送信される。端末装置１０ＢのユーザーＢが、受信した電子メールを開封すると、開封した電子メールには、送信元のメールアドレスとしてユーザーＡのメールアドレスがあり、電子メールの本文には、弱度酩酊の状態にあることが記載されているため、ユーザーＡの家族であるユーザーＢは、ユーザーＡが飲酒を行っていることを知ることができる。ユーザーＢが、飲み過ぎないよう注意を促す旨の電子メールをユーザーＡへ送信すると、ユーザーＡに対して飲み過ぎないよう注意喚起をすることができる。
【００２９】
弱度酩酊の状態にあるユーザーＡがさらに飲酒を続けると、ユーザーＡの血中のエタノール濃度がさらに上昇する。ユーザーＡの血中のエタノール濃度がさらに上昇した状態で、皮膚ガスがセンサー１０９Ａに到達すると、センサー１０９Ａは、皮膚ガスに含まれるエタノールの濃度を測定し、測定結果からユーザーＡの血中のエタノール濃度を算出する。センサー１０９Ａは、算出したエタノール濃度を表すデータを制御部１０１Ａへ供給し、制御部１０１Ａは、センサー１０９Ａから供給されるデータを取得する（ステップＳＡ１）。
【００３０】
制御部１０１Ａは、センサー１０９Ａから供給されるデータを取得すると、取得したデータが予め定められた条件を満たしているか判断する。ここで、制御部１０１Ａは、取得したデータが表す血中のエタノール濃度が第２条件の範囲内にある場合（ステップＳＡ２でＮＯ、ステップＳＡ３でＹＥＳ）、中程度酩酊の状態であることを通知する電子メール、つまり、第２条件に対応した内容の電子メールを生成する（ステップＳＡ４）。次に制御部１０１Ａは、第２条件に対応付けて予め記憶されているユーザーＣのメールアドレスを記憶部１０２Ａから取得する（ステップＳＡ５）。制御部１０１Ａは、ステップＳＡ４で生成した電子メールの宛先を、ステップＳＡ５で取得したユーザーＣのメールアドレスとし、ステップＳＡ４で生成した電子メールを送信する（ステップＳＡ６）。
【００３１】
端末装置１０Ａから送信された電子メールは、通信網２と図示せぬメールサーバーを介して、ユーザーＣが所持する端末装置１０Ｃへ送信される。端末装置１０ＣのユーザーＣが、受信した電子メールを開封すると、開封した電子メールには、送信元のメールアドレスとしてユーザーＡのメールアドレスがあり、電子メールの本文には、中程度酩酊の状態にあることが記載されているため、ユーザーＡと共に飲食や飲酒をしているユーザーＣは、ユーザーＡの酩酊度が高くなっていることを客観的に知ることができる。
ユーザーＡの酩酊度が高くなっていることを知ったユーザーＣが、ユーザーＡの飲酒や飲食店へのアルコール飲料の注文を控えるようにすれば、ユーザーＡが飲酒を続けて強度酩酊や泥酔の状態となるのを防ぐことができる。
【００３２】
以上説明したように本実施形態によれば、端末装置１０のユーザーの生体情報に応じて端末装置１０のユーザーの体調の通知先が変わるため、ユーザーの体調に応じた適切な者がユーザーの体調を把握してサポートすることが可能となる。
【００３３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００３４】
上述した実施形態においては、第１条件と第２条件を設けているが、設ける条件の数は２つに限定されるものではなく、３つ以上の条件を設けるようにしてもよい。３つ以上の条件を設ける場合にも、記憶部１０２が各条件に対応した連絡先をそれぞれ記憶する。
【００３５】
上述した実施形態においては、第１条件や第２条件に対応付けて記憶する連絡先のメールアドレスは、上述のメールアドレスに限定されるものではない。例えば、飲食店に来店したユーザーＡに対し、第２条件に対応付けて記憶部１０２Ａに飲食店のメールアドレスを記憶させる操作を行ってもらう構成としてもよい。この構成によれば、ユーザーＡが中程度酩酊の状態になると、飲食店が備えるコンピュータ装置へ、端末装置１０Ａから送信された電子メールが送信される。この電子メールを飲食店の店員が開封すると、電子メールには、送信元のメールアドレスとしてユーザーＡのメールアドレスが記載されており、電子メールの本文には、中度酩酊の状態にあることが記載されているため、飲食店の店員は、酩酊度が高くなっている客が店内に居ることを知ることができる。また、飲食店の店員が、ユーザーＡに対して、飲酒やアルコール飲料の注文を控えるように促すと、ユーザーＡが飲酒を続けて強度酩酊や泥酔の状態となるのを防ぐことができる。
また、連絡先のメールアドレスとして、ユーザーの掛かり付けの病院や医師のメールアドレスや、タクシー会社のメールアドレスを登録するようにしてもよい。
【００３６】
上述した実施形態においては、第１条件と第２条件をユーザーが設定可能な構成とし、端末装置１０Ａと端末装置１０Ｃとで第１条件及び第２条件が異なる構成であってもよい。例えば、ユーザーＣのアルコール代謝能力が低い場合、第１条件は、血中のエタノール濃度が０．３ｍｇ／ｍｌ以上〜０．５ｍｇ／ｍｌ未満という条件であり、第２条件は、血中のエタノール濃度が０．５ｍｇ／ｍｌ以上〜１．０ｍｇ／ｍｌ未満という条件としてもよい。また、端末装置１０Ｃにおいては、第１条件に対応付けて、ユーザーＣの家族のメールアドレスを記憶部１０２Ｃに記憶させ、第２条件に対応付けて、ユーザーＡのメールアドレスを記憶部１０２Ｃに記憶させるようにしてもよい。
この構成によれば、アルコールの代謝能力が低いユーザーについては、酩酊の程度が低いうちに、家族や同席している者へユーザーＣの酩酊の状態が通知されるため、ユーザーＣの酩酊度が高くなっていることを知ったユーザーＡが、ユーザーＣの飲酒や飲食店へのアルコール飲料の注文を控えるようにすれば、アルコール代謝能力が低いユーザーＣが飲酒を続けて強度酩酊や泥酔の状態となるのを防ぐことができる。
また、条件の値は、学習期間を設けて設定してもよい。例えば、過去に酩酊状態になったときのエタノール濃度を記憶しておき、通知するか否かの判断を、記憶した値を用いて行うようにしてもよい。
また、その日の体調によって条件の値を補正する構成としてもよい。例えば、風邪気味などのように体調が悪い場合には、普段よりもエタノール濃度が低いときにも通知を行うようにしてもよい。この構成によれば、個人差を反映してより精度良く判断を行うことができる。
【００３７】
上述した実施形態においては、端末装置１０Ａは、第１条件を満たしたときにユーザーＣに電子メールを送信し、第２条件を満たしたときにユーザーＢに電子メールを送信しているが、第２条件を満たしたときにユーザーＢに加えてユーザーＣも宛先として電子メールを送信するようにしてもよい。
【００３８】
上述した実施形態においては、端末装置１０を人間が携帯する構成となっているが、端末装置１０を犬や猫などのペット、家畜など、人間以外の動物に装着する構成としてもよい。この構成によれば、端末装置１０を装着した動物の生体情報に応じて動物の体調の通知先が変わるため、動物の体調に応じた適切な者が動物の体調をサポートすることが可能となる。
【００３９】
上述した実施形態においては、センサー１０９は、皮膚ガスに含まれるエタノールを検知するが、呼気や皮膚ガス中のアセトアルデヒド、アセトン、イソプレン、アンモニア、水素、メタン、一酸化窒素、一酸化炭素、硫化水素、メチルメルカプタン、ホルムアルデヒド、ベンゼン、トルエン、ノニナール、二酸化炭素など、他の成分を検知してもよい。
【００４０】
例えば、センサー１０９でアセトンを検知する場合、検知したアセトンの濃度により、端末装置１０のユーザーが空腹状態であるか知ることができる。この場合、例えば、訪問介護を受ける高齢者に端末装置１０を装着し、アセトンの濃度範囲を表す第１条件に対応付けて、端末装置１０を装着した高齢者の家族のメールアドレスを記憶部１０２に記憶させ、第１条件より濃い濃度範囲の第２条件に対応付けて、端末装置１０を装着した高齢者へ訪問介護を行うサービス提供者のメールアドレスを記憶部１０２に記憶させるようにしてもよい。
この構成によれば、端末装置１０を装着されたユーザーが空腹状態となって家族へ空腹を知らせる電子メールが送られた後、家族が対応できずに空腹がさらに進むと、訪問介護を行うサービス提供者へ空腹を知らせる電子メールが送られる。訪問介護を行うサービス提供者が、端末装置１０を装着された高齢者の下へ向かうことにより、ユーザーを介護し、空腹状態を解消することができる。
【００４１】
また、例えば、センサー１０９で呼気中の一酸化窒素を検知する場合、検知した一酸化窒素の濃度により、端末装置１０のユーザーの喘息発作の程度を知ることができる。この場合、一酸化窒素の濃度範囲を表す第１条件に対応付けてユーザーの家族のメールアドレスを記憶部１０２に記憶させ、第１条件より濃い濃度範囲の第２条件に対応付けて、ユーザーの通院先の医療機関のメールアドレスを記憶部１０２に記憶させるようにしてもよい。
【００４２】
上述した実施形態においては、呼気や皮膚ガスを測定してユーザーの生体情報を得る構成であるが、ユーザーの生体情報を得る構成は、呼気や皮膚ガスを測定する構成に限定されるものではない。例えば、センサー１０９は、光を皮膚に照射し、生体情報の一例である心拍を測定する構成であってもよい。また、センサー１０９は、温度センサーであり、ユーザーの体温を測定する構成であってもよく、汗を検出するセンサーで発汗量を測定する構成であってもよい。
【００４３】
上述した実施形態においては、一つの生体情報を検知しているが、複数の生体情報を検知する構成であってもよい。また、複数の生体情報を測定する構成にあっては、複数の生体情報の測定結果により、ユーザーの体調を判定する構成であってもよい。例えば、端末装置１０は、心拍数と発汗量からストレスの程度を判定する構成であってもよい。
【００４４】
上述した実施形態においては、端末装置１０は、衛星測位システムを利用して端末装置１０の位置を測位する構成であってもよい。端末装置１０が自装置の位置を測位する構成の場合、測位した位置に応じて、連絡先を変更する構成としてもよい。例えば、運動部で部活動を行う生徒が所持する端末装置１０で生徒の発汗量を測定し、発汗量を予め定められた連絡先へ通知する場合、第１条件を満たしたときの位置が学校の構内である場合には、学校のメールアドレスを宛先として、熱中症の程度を表す電子メールを送信し、第１条件を満たしたときの位置が学校以外のスポーツ施設である場合には、スポーツ施設のメールアドレスを宛先として、熱中症の程度を表す電子メールを送信するようにしてもよい。この構成によれば、熱中症を発症する可能性がある者が居ることを、生徒の近くに居る者が把握することができる。また、生徒の近くに居る者が、水分の補給を促すことにより、熱中症が発生するのを防ぐことができる。
【００４５】
上述した実施形態においては、第１条件と第２条件の一方又は両方を端末装置１０が設定する構成であってもよい。
例えば、皮膚ガスに含まれるエタノールとアセトンを測定する構成の場合、端末装置１０は、計測アプリを起動したときにアセトンを測定し、ユーザーの空腹度合いを判定する。ここで、例えば、空腹の度合いが高い場合には、上述の実施形態における第１条件を血中エタノール濃度０．３ｍｇ／ｍｌ以上〜０．５ｍｇ／ｍｌ未満という条件とし、空腹の度合いが低い場合には、上述の実施形態における第１条件を血中エタノール濃度０．５ｍｇ／ｍｌ以上〜１．０ｍｇ／ｍｌ未満という条件としてもよい。
また、この変形例の場合、端末装置１０に加速度センサーを設けてユーザーの睡眠時間を測定し、ユーザーの睡眠時間に応じて、第１条件や第２条件を変更する構成としてもよい。また、端末装置１０は、睡眠時間の履歴を記憶し、過去の数日の睡眠時間の平均に応じて、第１条件や第２条件を変更する構成としてもよい。
また、第１条件と第２条件を端末装置１０が設定する構成の場合、ユーザーがタッチパネル１０３で行った操作からユーザーの疲労度を判定し、判定結果に応じて第１条件や第２条件を設定する構成としてもよい。例えば、ユーザーがタッチパネル１０３で文字入力を行ったときに、入力した文字を訂正する頻度を計測し、計測した頻度に応じて第１条件や第２条件を変更する構成としてもよい。
また、上述した実施形態においては、飲酒を始める前に摂取した飲食物を表す情報をユーザーが端末装置１０に入力し、端末装置１０は、入力された情報が表す飲食物に応じて、第１条件や第２条件を変更する構成としてもよく、また、端末装置１０は、ユーザーが摂取した飲食物の履歴を記憶し、記憶した履歴に基づいて第１条件や第２条件を設定する構成としてもよい。例えば、ユーザーが夜に飲酒を行う場合、昼に高タンパク質の食事をした場合と、昼にうどんしか摂取できなかった場合とで、第１条件や第２条件を変更するようにしてもよい。
また、上述した実施形態においては、飲食店に同席する者を表す情報をユーザーが端末装置１０に入力し、入力された情報が表す同席者に応じて、第１条件や第２条件を変更する構成としてもよい。
例えば、飲食店に同席する者として職場の上司を設定した場合、第１条件のエタノール濃度の範囲を低い範囲とし、飲食店に同席する者として親しい友人を設定した場合、第１条件のエタノール濃度の範囲を高い範囲としてもよい。
【００４６】
上述した実施形態においては、例えば、端末装置１０においては、スケジュールを管理するアプリにおいて、飲食のスケジュールを登録する際に、同席する者をスケジュールに登録し、スケジュールに登録された者のメールアドレスを、連絡先を管理するアプリから取得し、取得したメールアドレスを、計測アプリが送信する電子メールの送信先として設定するようにしてもよい。例えば、月曜日の飲食のスケジュールにおいて、ユーザーＣを登録し、金曜日の飲食のスケジュールにおいて、ユーザーＤを登録した場合、月曜日においては、第２条件に対応した電子メールの送信先を、ユーザーＣの電子メールアドレスとし、金曜日においては、第２条件に対応した電子メールの送信先を、ユーザーＤの電子メールアドレスとする。
【００４７】
上述した実施形態においては、端末装置１０は、センサー１０９を内蔵する構成となっているが、センサー１０９を外部装置とし、通信ケーブル又は無線通信によりセンサー１０９と端末装置１０とを接続する構成としてもよい。
【００４８】
上述した実施形態においては、ユーザーの状態が電子メールで通知されるが、ユーザーの状態を通知する方法は、電子メールに限定されるものではない。
例えば、例えば、ＳＭＳ（Ｓｈｏｒｔ Ｍｅｓｓａｇｅ Ｓｅｒｖｉｃｅ）や他者と連絡がとれるアプリケーションなどでも良いし、端末装置１０Ａが計測アプリで送信した電子メールを端末装置１０Ｂ、１０Ｃが受信した場合、スピーカから予め定められた音を放音し、ユーザーの体調を知らせるようにしてもよく、また、端末装置１０に設けられた発光ダイオードを点灯させ、点灯のパターンによりユーザーの体調を知らせるようにしてもよい。
また、端末装置１０は、端末装置１０のユーザーが登録しているＳＮＳ（Social Networking Service）へユーザーの体調を投稿する構成としてもよく、また、インスタントメッセンジャーでユーザーの体調を投稿する構成としてもよい。
【００４９】
本発明に係る機能を実現するプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピュータ読取り可能な記録媒体に記憶した状態で提供し、各装置にインストールしてもよい。また、通信網２を介してプログラムをダウンロードして各装置にインストールしてもよい。
【符号の説明】
【００５０】
１…通信システム、２…通信網、１０、１０Ａ、１０Ｂ、１０Ｃ…端末装置、１０１…制御部、１０２…記憶部、１０３…タッチパネル、１０５…通信部、１０７…音声処理部、１０９…センサー、１００１…第１取得部、１００２…第２取得部、１００３…通知部
【図１】
0006535489.tif 000002
【図２】
0006535489.tif 000003
【図３】
0006535489.tif 000004
【図４】
0006535489.tif 000005